(57)【要約】      （修正有）【課題】高気圧・高濃度酸素カプセルの開閉部における空気漏れを確実に防止することができる、高気圧・高濃度酸素カプセル用空気漏れ防止具及びその嵌合構造を得る。【解決手段】空気漏れ防止具においては、空気を注入して膨張させることができるチューブ体１０を長円形又は楕円形の環状に形成して構成する。また、その嵌合構造においては、高気圧・高濃度酸素カプセルの上側のカバー４の開口部と下側の本体の開口部の凹凸構造の嵌合部における凹部７内の溝８に空気漏れ防止具９を挿着し、凸部により空気漏れ防止具を押圧することにより凹凸構造の嵌合部の間隙を封止する構造とする。【選択図】図３
0003121656.tif 000002
【実用新案登録請求の範囲】
【請求項１】
高気圧・高濃度酸素カプセル用空気漏れ防止具においては、空気を注入して膨張させることができるチューブ体を長円形又は楕円形の環状に形成して構成し、その嵌合構造においては、高気圧・高濃度酸素カプセルの上側のカバーの開口部と下側の本体の開口部の凹凸構造の嵌合部における凹部内の溝に前記空気漏れ防止具を挿着し、凸部により当該空気漏れ防止具を押圧することにより前記凹凸構造の嵌合部の間隙を封止する構造としたことを特徴とする、高気圧・高濃度酸素カプセル用空気漏れ防止具及びその嵌合構造。
【考案の詳細な説明】
【技術分野】
【０００１】  本考案は、空気中の酸素濃度及び気圧を高めたカプセル空間内でくつろぐことにより心身のリラクゼーション効果，疲労回復，ダイエット効果，美容等の数々の効果を得ることができる高気圧・高濃度酸素カプセルに関し、特に該高気圧・高濃度酸素カプセルの開閉部における空気漏れを防止するための防止具及びその嵌合構造に関するものである。
【背景技術】
【０００２】  従来、医療において心筋梗塞や老人性痴呆症等の患者を治療する方法として高圧酸素法がある。該方法は、チャンバと呼ばれるカプセル内に高酸素濃度の空気を１．２気圧程度に注入して加圧し、該チャンバ内に前記患者を１時間程度入れて高圧酸素により治療を行うものである。該高圧酸素治療の公報例として、特開平５−１０３７６５号公報の「高気圧酸素治療装置」では、チャンバ内に心筋梗塞の患者を入れ、酸素又は空気供給装置からの加圧ガスを供与することにより治療を行うと共に血圧測定を行う構造が開示され、特開平８−１５４９８２号公報の「高圧酸素治療装置」では、チャンバ内に老人性痴呆症等の患者を入れ、ヘリウムと酸素を主成分とする混合ガスを高圧と低圧とに交互に切換えて供与することにより治療を行う方法が開示されている。【０００３】  なお、上記高圧酸素治療とは、空気中の酸素濃度を通常の２０．９％より高い３０〜３５％程度にし、気圧を通常の１気圧より高い１．２気圧程度にしたチャンバ内に１時間程度入ることにより、結合型酸素として血液中のヘモグロビンと結合する酸素の量や溶解型酸素として皮膚を透して直接血液や体液に溶け込む酸素の量を増やし、これら２種類の酸素量の増加により体の隅々まで酸素を行き渡らせて細胞を活性化させることにより健康を回復させるものである。【０００４】  上記公報に記載されている高圧酸素治療装置は医療用であるため、チャンバ，空気供給装置，加圧ポンプ，圧力制御装置，バルブ等から構成される高圧酸素治療装置は非常に高価であり、病院以外で使用することはなかった。しかしながら、上記チャンバをＦＲＰ（Ｆｉｂｅｒ−Ｒｅｉｎｆｏｒｃｅｄ  Ｐｌａｓｔｉｃｓ：繊維強化プラスチック）でカプセル状に形成し、空気供給装置，加圧ポンプ，圧力制御装置，バルブ等を一体化した濃縮酸素供給器とすることにより製品コストが安価となり、近年においては心身のリラクゼーション効果，疲労回復，ダイエット効果，美容等の数々の効果を得る目的でリラクゼーションやエステ等の店舗に導入されている。【０００５】
【特許文献１】特開平５−１０３７６５
【特許文献２】特開平８−１５４９８２
【非特許文献１】高気圧・高濃度酸素セラピーシステム  イオ・Ｏ２クリスタルホームページ  ｈｔｔｐ：／／ｗｗｗ．ｓａｎｓｏ．ｃｃ
【考案の開示】
【考案が解決しようとする課題】
【０００６】  上記ＦＲＰで形成された高気圧・高濃度酸素カプセル内に利用者が入るためには、該高気圧・高濃度酸素カプセルの上側のカバーを開けて入ることになる。該カバーの開口部は、高気圧・高濃度酸素カプセル内の空気漏れを防止するため、当該高気圧・高濃度酸素カプセルの下側の本体の開口部との凹凸構造により嵌合されているが、該凹凸構造の嵌合部の気密性が十分に得られないことにより僅かに空気漏れが発生してしまうという問題点があった。このため、濃縮酸素供給器の運転効率が低下してしまうという問題点があった。【０００７】  本考案は、上記問題点を解決するために成されたものであり、空気中の酸素濃度及び気圧を高めたカプセル空間内でくつろぐことにより心身のリラクゼーション効果，疲労回復，ダイエット効果，美容等の数々の効果を得ることができる高気圧・高濃度酸素カプセルの開閉部における空気漏れを確実に防止することができる、高気圧・高濃度酸素カプセル用空気漏れ防止具及びその嵌合構造を提供することを目的とする。
【課題を解決するための手段】
【０００８】  上記課題を解決するため、本考案の高気圧・高濃度酸素カプセル用空気漏れ防止具においては、空気を注入して膨張させることができるチューブ体を長円形又は楕円形の環状に形成して構成する。また、その嵌合構造においては、高気圧・高濃度酸素カプセルの上側のカバーの開口部と下側の本体の開口部の凹凸構造の嵌合部における凹部内の溝に前記空気漏れ防止具を挿着し、凸部により当該空気漏れ防止具を押圧することにより前記凹凸構造の嵌合部の間隙を封止する構造とする。
【考案の効果】
【０００９】  本考案の高気圧・高濃度酸素カプセル用空気漏れ防止具及びその嵌合構造によれば、高気圧・高濃度酸素カプセルの上側のカバーの開口部と下側の本体の開口部の凹凸構造の嵌合部において、凹部内の溝に挿着された空気漏れ防止具のチューブ体が凸部により押圧される。このため、空気漏れ防止具は変形し、前記高気圧・高濃度酸素カプセルの開口部の凹凸構造の嵌合部の間隙を封止すると共に凹凸面に密着することにより、高気圧・高濃度酸素カプセルの開閉部における空気漏れを確実に防止することができるという絶大なる効果を奏することができる。このため、濃縮酸素供給器の運転効率の低下も無くなるという効果も奏することができる。
【考案を実施するための最良の形態】
【００１０】  本考案を実施するための最良の形態を図を用いて説明する。【００１１】  図４は本考案の高気圧・高濃度酸素カプセル用空気漏れ防止具の外形図であり、（ａ）は正面図、（ｂ）は側面図である。該図に示すように、高気圧・高濃度酸素カプセル用空気漏れ防止具９は、空気を注入して膨張させることができるチューブ体１０を長円形又は楕円形の環状に形成して構成する。また、前記空気を注入するための空気注入口１８をチューブ体１０の任意の一箇所に挿着する。該チューブ体１０の材質は、塩化ビニル等の軟質樹脂が好適であるが、特に限定するものではない。【００１２】  また、図１は本考案の高気圧・高濃度酸素カプセル用空気漏れ防止具を具備した高気圧・高濃度酸素カプセルの一実施例の外形図であり、（ａ）は平面図、（ｂ）は側面図、（ｃ）はカバーを開けた状態の側面図である。該図に示すように、高気圧・高濃度酸素カプセル１はベース３の上部に本体２を載置し、該本体２の上部にカバー４を嵌合して構成する。カバー４は本体２の長軸方向一端部において図示しない蝶番にて係合され、ダンパー１２にて容易な開閉が行われる。また、前記カバー４の他端部上面には利用者の状態を確認するための窓１４を具備する。また、前記蝶番に近い本体２の表面には当該高気圧・高濃度酸素カプセル１内に濃縮酸素を供給するための空気供給バルブ５と、前記濃縮酸素を排気するための空気排気バルブ６が配設され、更に本体２の中央内部にマット１３が敷設される。【００１３】  本体２の開口部には凹部７が形成され、カバー４の開口部には凸部１１が形成される。その嵌合構造は、高気圧・高濃度酸素カプセル１の上側のカバー４の開口部と下側の本体２の開口部の凹凸構造の嵌合部における凹部７内の溝８に上記空気漏れ防止具９を挿着し、凸部１１により当該空気漏れ防止具９を押圧することにより前記凹凸構造の嵌合部の間隙を封止する構造とする。【００１４】  なお、図１においてカバー４の開閉方向を高気圧・高濃度酸素カプセル１の長軸方向として説明したが、短軸方向に開閉する構造であっても構わない。また、本体２の開口部に凹部７を形成し、カバー４の開口部に凸部１１を形成したものとして説明したが、逆であっても構わない。
【実施例】
【００１５】  本考案の実施例を図を用いて説明する。【００１６】  図５は高気圧・高濃度酸素カプセルの使用状態図であり、高気圧・高濃度酸素カプセル１を使用するためには、まずベース３の上部に本体２を載置し、次に該本体２の上部にカバー４を嵌合する。また、高気圧・高濃度酸素カプセル１の本体２に配設された空気供給バルブ５に濃縮酸素供給チューブ１６を接続し、更に当該濃縮酸素供給チューブ１６の他端側を濃縮酸素供給器１５と接続したコントロールボックス１７に接続する。次に高気圧・高濃度酸素カプセル１内に利用者が入り、前記コントロールボックス１７にて圧力監視を行いながら高濃度酸素を濃縮酸素供給チューブ１６を経由して高気圧・高濃度酸素カプセル１内に注入することにより使用可能となる。【００１７】  図２は図１におけるＡ−Ａ断面図であり、カバー４がダンパー１２にて僅かに開いた状態を示している。該図において、ベース３の上部に載置された本体２の開口部は凹部７が形成され、略中央部に溝８を有している。また、カバー４の開口部は凸部１１が形成されている。また、前述のチューブ体１０の空気注入口１８より空気を注入して膨張させた空気漏れ防止具９を、前記凹部７の溝８に挿着する。該状態において図中矢印で示すようにカバー４を閉じると、本体２の開口部の凹部７の溝８とカバー４の開口部の凸部１１が嵌合することになる。【００１８】  図３は図２におけるＢ部詳細図であり、上記本体２の開口部の凹部７とカバー４の開口部の凸部１１の嵌合状態を示している。該図において、カバー４の開口部の凸部１１が本体２の凹部７の溝８内に挿着された空気漏れ防止具９を押圧することにより、前記空気漏れ防止具９は変形して間隙を封止することになる。また、空気漏れ防止具９を構成するチューブ体１０内の空気圧により当該空気漏れ防止具９の表面が凹凸面に密着することになる。【００１９】  その結果、上記２つの作用により高気圧・高濃度酸素カプセル１の開閉部である凹凸構造の嵌合部は完全密閉されるため、当該高気圧・高濃度酸素カプセル１内の高気圧・高濃度酸素は外部に漏れることがない。従って、濃縮酸素供給器１５より効率よく高濃度酸素を高気圧・高濃度酸素カプセル１内に供給することができる。
【図面の簡単な説明】
【００２０】
【図１】本考案の高気圧・高濃度酸素カプセル用空気漏れ防止具を具備した高気圧・高濃度酸素カプセルの一実施例の外形図である。
【図２】図１におけるＡ−Ａ断面図である。
【図３】図２におけるＢ部詳細図である。
【図４】本考案の高気圧・高濃度酸素カプセル用空気漏れ防止具の外形図である。
【図５】高気圧・高濃度酸素カプセルの使用状態図である。
【符号の説明】
【００２１】    １  高気圧・高濃度酸素カプセル
２  本体
３  ベース
４  カバー
５  空気供給バルブ
６  空気排気バルブ
７  凹部
８  溝
９  空気漏れ防止具
１０  チューブ体
１１  凸部
１２  ダンパー
１３  マット
１４  窓
１５  濃縮酸素供給器
１６  濃縮酸素供給チューブ
１７  コントロールボックス
１８  空気注入口
【図１】
0003121656.tif 000003
【図２】
0003121656.tif 000004
【図３】
0003121656.tif 000005
【図４】
0003121656.tif 000006
【図５】
0003121656.tif 000007